(57)【要約】【課題】きわめて簡単な構造で、シャッター部材の巻胴への巻上トルクをバランスさせる。【解決手段】バランス装置２１は、巻胴１４にグリルスクリーン１７を巻き取る時に、バランスドラム２２からバランスワイヤ２３を繰出して、バランスウェイト２４の錘部材２７Ａ〜２７Ｃを下端側から順にウェイト収容ピット２５に着地させ、これにより巻胴１４に巻き取られるグリルスクリーン１７により減少する巻胴トルクＤＴに対応して、バランストルクＢＴを減少させることで、巻胴１４のすべての巻取り位置で巻胴トルクＤＴとバランストルクＢＴとを略均等にバランスさせる。【選択図】図４
2011001758.tif 000002
【特許請求の範囲】
【請求項１】
シャッター部材により巻胴に発生する巻胴トルクに対抗して、バランストルクを付与するバランス装置を備えたシャッター装置であって、
バランス装置は、巻胴に連結されたバランスドラムと、当該バランスドラムに索体を介して連結された長尺状のバランスウェイトと、バランスドラムから索体が繰出された時に前記バランスウェイトを下端側から順に着地させてバランストルクを調整可能なウェイト受部とを具備し、
前記バランスウェイトは、上下方向に折り曲げ自在に連結された複数の錘部材からなり、複数の当該錘部材は、巻胴トルクに均衡または接近するバランストルクが得られるように重量が設定された
ことを特徴とするシャッター装置。
【請求項２】
バランスウェイトは、短冊形の錘部材をヒンジを介して連結して構成し、
錘部材に、ウェイト受け部に着地されることにより交互に折り畳まれるガイド部が設けられた
ことを特徴とする請求項１記載のシャッター装置。
【請求項３】
シャッター部材を、金属製のスラットシャッターまたはグリルシャッターとし、
巻胴を正逆方向に回転駆動する自動開閉装置を設けた
ことを特徴とする請求項１または２記載のシャッター装置。
【請求項４】
自動開閉装置は、中間連動機構により巻胴を正逆方向に回転駆動する直線駆動装置からなり、
前記直線駆動装置の駆動源を、水道水圧により駆動される水道圧シリンダとし、
前記中間連動機構を、前記水道圧シリンダによる直線運動を回転運動に変換する巻掛け伝動機構またはギヤ機構あるいはカム機構とその組み合わせにより構成した
ことを特徴とする請求項３記載のシャッター装置。
【請求項５】
巻胴に連動してシャッター部材を開閉する手動式のシャッター開閉操作具を設けた
ことを特徴とする請求項１または２記載のシャッター装置。
【発明の詳細な説明】
【技術分野】
【０００１】
本発明は、シャッタースクリーンを巻き取る巻胴に加わる巻胴トルクに対抗して、バランストルクを付与するバランス装置を備えたシャッター装置に関する。
【背景技術】
【０００２】
特許文献１において、巻胴にシャッタースクリーンを巻き取る時の巻胴トルクを軽減するバランス装置は、巻胴と同軸上に固定された第１バランスプーリと、巻胴と平行な軸に支持された第２バランスプーリとを１本の引張ワイヤを巻取り、繰出し可能に巻回して連動させ、第２バランスプーリにコイルバネを連結したものである。
【０００３】
特許文献２のバランス装置は、上下のスプロケットに巻張されたリターンワイヤの一側に上部スライダを取り付けると共に、他側に下部スライダを取り付け、閉動時にシャッタースクリーンの繰り出しに連動して下降する上部スライダに、ゼンマイワイヤを介して引上げ力を付与するゼンマイユニットを連結したものである。
【先行技術文献】
【特許文献】
【０００４】
【特許文献１】特開平１０−１２１８７３号公報
【特許文献２】特開２００６−２５７６４０号公報
【発明の概要】
【発明が解決しようとする課題】
【０００５】
特許文献１では、巻胴トルクにコイルバネによるバランストルクを近づけるために、第１バランスプーリと第２バランスプーリのドラム径を変化させた円錐筒形に形成している。このため、第１，第２バランスプーリの引張ワイヤの巻取り位置を変化させなければならず、構造および動作が複雑となり、またメンテナンス回数も多く必要になるおそれがある。
【０００６】
特許文献２では、上部スライダと下部スライダとの重量差と、ゼンマイユニットによる駆動力とを利用して、巻胴トルクに対抗するバランストルクを発生させているが、シャッタースクリーンを巻き取るに従って巻き取り径が増加し、かつ重量が減少する巻胴トルクと、ゼンマイユニットによるバランストルクとを精度良く均衡または接近させることは困難である。
本発明は上記問題点を解決して、きわめて簡単な構造で、巻胴トルクとバランストルクとを均衡または接近させる発生させることができるバランス装置を備えたシャッター装置を提供することを目的とする。
【課題を解決するための手段】
【０００７】
請求項１記載の発明は、シャッター部材により巻胴に発生する巻胴トルクに対抗して、バランストルクを付与するバランス装置を備えたシャッター装置であって、
バランス装置は、巻胴に連結されたバランスドラムと、当該バランスドラムに索体を介して連結された長尺状のバランスウェイトと、バランスドラムから索体が繰出された時に前記バランスウェイトを下端側から順に着地させてバランストルクを調整可能なウェイト受部とを具備し、
前記バランスウェイトは、上下方向に折り曲げ自在に連結された複数の錘部材からなり、複数の当該錘部材は、巻胴トルクに均衡または接近するバランストルクが得られるように重量が設定されたものである。
【０００８】
請求項２記載の発明は、請求項１記載の構成において、
バランスウェイトは、短冊形の錘部材をヒンジを介して連結して構成し、
錘部材に、ウェイト受け部に着地されることにより交互に折り畳まれるガイド部が設けられたものである。
【０００９】
請求項３記載の発明は、請求項１または２記載の構成において、
シャッタースクリーンを、金属製のスラットシャッターまたはグリルシャッターとし、
巻胴を正逆方向に回転駆動する自動開閉装置を設けたものである。
【００１０】
請求項４記載の発明は、請求項３記載の構成において、
自動開閉装置は、中間連動機構により巻胴を正逆方向に回転駆動する直線駆動装置からなり、
前記直線駆動装置の駆動源を、水道水圧により駆動される水道圧シリンダとし、
前記中間連動機構を、前記水道圧シリンダによる直線運動を回転運動に変換する巻掛け伝動機構またはギヤ機構あるいはカム機構とその組み合わせにより構成したものである。
【００１１】
請求項５記載の発明は、請求項１または２記載の構成において、巻胴に連動してシャッター部材を開閉する手動式のシャッター開閉操作具を設けたものである。
【発明の効果】
【００１２】
請求項１記載の発明によれば、シャッター部材の巻き取りにより巻胴トルクが減少するに従って、バランスウェイトの錘部材を降下させてその下端側から順にウェイト受け部に着地させることによりバランストルクを減少させ、これにより、シャッター部材の巻取り位置により変化する巻胴トルクと、バランストルクとを略均衡させるか接近させることができ、きわめて簡単な構造で、巻胴の巻胴トルクとバランストルクとを均衡または接近させて、わずかな駆動力でシャッター部材を巻胴に巻取り、繰出ししてシャッターを開閉することができる。したがって、金属製などで十分な強度を有する大重量のシャッター部材であっても、手動による開閉操作はもちろん、駆動トルクが小さい小型電動モータや水道水圧により駆動されるシリンダ装置であっても、開閉をスムーズに行うことができ、省エネ効果を発揮することができる。
【００１３】
請求項２記載の発明によれば、バランスウェイトは、短冊形の錘部材をヒンジを介して連結することにより、安価に製造できるとともに、錘部材の重量調整も容易に行うことができる。さらに短冊形の錘部材をウェイト受け部に折り畳んで着地させることで、コンパクトに収容することができ、ウェイト受け部を小型化することができる。
【００１４】
請求項３記載の発明によれば、自動開閉装置により、大重量のシャッター部材を巻上げ、繰出ししてスムーズに開閉することができる。
請求項４記載の発明によれば、水道水圧源により駆動される水道圧シリンダを使用し、その直線運動を、巻掛け伝動機構またはギヤ機構あるいはカム機構とその組み合わせにより回転運動に変えて巻胴を駆動することにより、停電時などでもシャッターの開閉を行うことができる。
【００１５】
請求項５記載の発明によれば、手動式開閉具により、小さい駆動トルクでシャッター部材の開閉を容易に行うことができる。
【図面の簡単な説明】
【００１６】
【図１】本発明に係るシャッター装置の実施例を示す概略斜視図である。
【図２】グリルシャッターの構造を説明する部分正面図である。
【図３】シャッター開閉装置の第１例を示す構成図である。
【図４】グリルシャッターの巻胴トルクとバランスウェイトによるバランストルクの変化を示すトルク分布曲線である。
【図５】（ａ）〜（ｋ）はそれぞれバランスウェイトを示し、（ａ）は正面図、（ｂ）は側面図、（ｃ）は折り畳み状態の側面図、（ｄ）は（ｂ）に示すＤ部拡大図、（ｅ）は（ｂ）に示すＥ部拡大図、（ｆ）は（ｂ）に示すＦ部拡大図、（ｇ）は（ｂ）に示すＧ部拡大図、（ｈ）は（ｂ）に示すＨ部拡大図、（ｉ）は（ｂ）に示すＩ部拡大図、（ｊ）は（ｂ）に示すＪ部拡大図、（ｋ）は（ｂ）に示すＫ部拡大図である。
【図６】シャッター開閉装置の第２例を示す構成図である。
【図７】シャッター開閉装置の第３例を示す構成図である。
【図８】シャッター開閉装置の第４例を示す構成図である。
【図９】（ａ）および（ｂ）は、シャッター開閉操作具を示し、（ａ）は第１例を示す側面図、（ｂ）は第２例を示す側面図である。
【発明を実施するための形態】
【実施例】
【００１７】
以下、本発明に係るシャッター装置の実施例を図面に基づいて説明する。
（実施例）
このシャッター装置はグリルシャッターと呼ばれるものである。図１において、１１は通路の開口部に設置されるシャッターフレームで、左右のサイドケース１２Ｒ，１２Ｌと天井部ケース１３とで門形に形成されている。天井部ケース１３内には、幅方向にわたる巻胴１４が支軸１５を介して回転自在に支持されている。この巻胴１４には、ばね鋼製の複数の連結材１６を介してグリルスクリーン（シャッター部材）１７が巻き取り、繰出し可能に巻回されている。
【００１８】
この巻胴１４には、金属製のグリルスクリーン１７により発生する巻胴トルクＤＴ（図４）をバランスさせるためのバランス装置２１と、巻胴１４を正逆方向に回転駆動可能なシャッター開閉装置（自動開閉装置）３１とが設けられている。
【００１９】
グリルスクリーン１７は、図２に示すように、内軸１７ｃを内装した幅方向のスラットバー１７ａが上下方向に一定間隔をあけて配置され、幅方向に所定間隔をあけて配置された複数の連結リンク１７ｂにより、スラットバー１７ａが折り曲げ自在に連結されている。また図示しないが、サイドケース１２Ｒ，１２Ｌの対向面には、グリルスクリーン１７の側縁部を案内するガイド溝が形成されている。
【００２０】
なお、グリルスクリーン１７に代えて、スラットカーテンのようなスチールやアルミニウムなどの金属製の重量シャッター部材であってもよい。
［バランス装置］
バランス装置２１は、左右のサイドケース１２Ｒ，１２Ｌ内にそれぞれ配置されるか、または一方のサイドケース１２Ｒまたは１２Ｌ内に配置されており、図３に示すように、巻胴１４の両側で支軸１５に固定されたバランスドラム２２と、バランスドラム２２にグリルスクリーン１７の巻取り方向と逆方向に巻取られるバランスワイヤ（索体）２３と、バランスワイヤ２３の先端部に連結された長尺状のバランスウェイト２４と、グリルスクリーン１７を巻上げた時に前記バランスウェイト２４が下端側から着地されて収容されるウェイト収容ピット（ウェイト受部）２５とを具備している。
【００２１】
バランスウェイト２３は、図５に示すように、ヒンジ２６を介して上下方向に折り曲げ自在に連結された複数の短冊形の錘部材２７Ａ〜２７Ｃからなり、錘部材２７Ａ〜２７Ｃの折り曲げ端部には、一方または他方への折り曲げを規制するガイド部材２８Ａ〜２８Ｃが取り付けられ、ウェイト収容ピット２５の底部に下端側から順に着地すると、図５（ｃ）に示すように、交互に異なる側に折り曲げられることになる。これらガイド部材２８Ａ〜２８Ｃは、円柱形や角柱形、ブロック形に形成されて一方への折り曲げを規制するとともに、合成ゴムなどの弾性材料で成形されることで騒音の発生も防止している。
【００２２】
ここで、短冊形の錘部材２７Ａ〜２７Ｃを説明したが、長尺状で折畳み自在であり、かつ重量調整が可能なものであればよく、たとえば金属製のリンクチェーンなどを使用することもできる。またこれらの防音対策としては、接触部分に弾性部材を取り付けてもよいし、錘部材全体を弾性被覆材で覆うこともできる。
【００２３】
図４に示すように、巻胴１４から吊り下げられたグリルスクリーン１７の重量、および巻胴１４の巻取り径（レバー）から求められる巻胴トルクＤＴと、着地された以外の錘部材２７Ａ〜２７Ｃの重量、およびバランスドラム２２の巻取り径（レバー）から求められるバランストルクＢＴとがほぼ均衡または接近するように、各錘部材２７Ａ〜２７Ｃの重量がそれぞれ設定されている。ここでは、厚みを選択して錘部材２７Ａ〜２７Ｃの重量を設定することにより、バランストルクＢＴを決定している。もちろん、錘部材２７Ａ〜２７Ｃの形状や大きさにより重量を設定することもできる。ここで、巻胴トルクＤＴは、連結リンク１７ｂが巻胴１４に巻き取られるごとに大きく変動するが、これらの錘部材２７Ａ〜２７Ｃでは、その変化に追従することができず、この巻胴トルクＤＴとバランストルクＢＴとのトルク差δをシャッター開閉装置３１の駆動力で補充している。したがって、トルク差δが大きければ、大きいほどシャッター開閉装置３１に大きい駆動力が必要となる。
【００２４】
なお、ここで巻胴トルクＤＴとバランストルクＢＴとのトルク差δができるだけ接近して均衡するように設定しているが、仮想線で示すように巻胴トルクＤＴに対してバランストルクＢＴが常にプラス側に接近するように設定してもよい。この場合には、グリルスクリーン１７を常に巻き上げ側に付勢できることから、グリルスクリーン１７の滑落を防止して安全性を高めることができる。また錆などによる摩擦力の増大に対処することもできる。
【００２５】
［シャッター開閉装置の第１例］
このシャッター開閉装置３１は、左右のサイドケース１２Ｒ，１２Ｌ内にそれぞれ配置され、駆動力が小さい水道水圧を駆動源とする水道圧シリンダ３２Ｒ，３２Ｌを使用することで省エネ化を図っている。
【００２６】
第１例は、図３に示すように、巻掛け伝動機構３３Ｒ，３３Ｌ,３４Ｒ，３４Ｌを使用して、水道圧シリンダ３２Ｒ，３２Ｌによる直線運動を巻胴１４の回転運動に変換している。
【００２７】
すなわち、巻胴１４両側の支軸１５に、左右の駆動ドラム３３Ｒ，３３Ｌが取り付けられ、左右の駆動ドラム３３Ｒ，３３Ｌに繰出しワイヤ３４Ｒ、巻取りワイヤ３４Ｌが互いに異なる方向に巻回されている。左右のサイドケース１２Ｒ，１２Ｌには、それぞれ単動形の水道圧シリンダ３２Ｒ，３２Ｌが下方に向かってピストンロッドを出退するように配置され、右側の水道圧シリンダ３２Ｒのピストンロッドに繰出しワイヤ３４Ｒが連結され、左側の水道圧シリンダ３２Ｌのピストンロッドに巻取りワイヤ３４Ｌが連結されている。図３に示すように、水道水圧源に接続された給水管３５から分岐されて水道圧シリンダ３２Ｒ，３２Ｌの伸展室に接続された分岐管３６Ｒ，３６Ｌに、開閉用切換弁３７Ｒ，３７Ｌが介在されている。また開閉用切換弁３７Ｒ，３７Ｌに接続された排水管３８Ｒ，３８が貯水槽３９にそれぞれ接続され、使用後の水道水が散水用などに有効利用されている。
【００２８】
開閉用切換弁３７Ａ，３７Ｂは、たとえば開閉操作レバー（図示せず）により操作される手動式で、リンクレバー（図示せず）により連動連結されて中立位置（停止）から互いに逆位置（伸展と収縮）に動作するように構成されている。もちろん電磁式であってもよい。
【００２９】
（開放動作）
したがって、図１に示す閉鎖状態から開閉レバーを開放操作すると、開閉用切換弁３７Ｒが中立位置Ｉから収縮位置IIに切換えられるとともに、開閉用切換弁３７Ｌを中立位置Ｉから伸展位置IIIに切換えられる。これにより、開閉用切換弁３７Ｌから水道水圧が水道圧シリンダ３２Ｌの伸展室に送られて伸展され、水道圧シリンダ３２Ｒの伸展室の水道水が開閉用切換弁３７Ｒを介して貯水槽３９に排水される。これにより、巻取りワイヤ３４Ｌおよび駆動ドラム３３Ｌを介して巻胴１４が巻取り方向に回転駆動され、巻胴１４にグリルスクリーン１７が巻き取られる。
【００３０】
この巻取り開始時には、グリルスクリーン１７の全重量が巻胴１４に負荷されて大きい巻胴トルクＤＴが発生しているが、バランス装置２１でも、バランスウェイト２４がウェイト収容ピット２５に着地しない状態で全重量が負荷されて大きいバランストルクＢＴが発生され、巻胴トルクＤＴとバランストルクＢＴがほぼ均衡されるため、水道圧シリンダ３２Ｌの小さい駆動力であっても、容易に巻胴１４を回転駆動してグリルスクリーン１７の巻取りを開始することができる。
【００３１】
巻胴１４にグリルスクリーン１７が順次巻き取られその重量が減少されて巻胴トルクＤＴが減少するが、バランス装置２１でも、下部の錘部材２７Ａ、２７Ｂ，２７Ｃから順次ウェイト収容ピット２５に着地され、バランスウェイト２４の重量が減少されてバランストルクＢＴが減少され、これにより巻胴トルクＤＴとバランストルクＢＴがほぼ均衡される。したがって、水道圧シリンダ３２Ｌの小さい駆動力でも、グリルスクリーン１７がスムーズに巻き取られる。
【００３２】
巻胴１４にグリルスクリーン１７がすべて巻き取られて巻胴トルクＤＴがほとんどなくなると、バランス装置２１でも、すべての錘部材２７Ａ〜２７Ｃがウェイト収容ピット２５に着地収容されてバランスウェイト２４の重量がほとんどなくなり、巻胴トルクＤＴとバランストルクＢＴがほぼ０となった状態でシャッターが開放される。
【００３３】
水道圧シリンダ３２Ｌが伸展限に達すると、開閉用切換弁３７Ｒ，３７Ｌがそれぞれ中立位置Ｉに戻される。
（閉鎖動作）
開閉レバーを開放操作してシャッターを閉鎖すると、開閉用切換弁３７Ｒが中立位置Ｉから伸展位置IIIに切換えられるとともに、開閉用切換弁３７Ｌが中立位置Ｉから収縮位置IIIに切換えられる。そして開閉用切換弁３７Ｌから水道水圧が水道圧シリンダ３２Ｒの伸展室に送られて伸展され、水道圧シリンダ３２Ｌの伸展室の水道水が開閉用切換弁３７Ｌを介して貯水槽３９に排水される。これにより、巻取りワイヤ３４Ｌおよび駆動ドラム３３Ｌを介して巻胴１４が繰出し方向に回転駆動され、巻胴１４からグリルスクリーン１７が繰出される。
【００３４】
開放動作と逆の順序でバランス装置２１のバランスウェイト２４によるバランストルクＢＴと巻胴トルクＤＴとがほぼ均衡されて、開放動作と逆の順序でグリルスクリーン１７が繰出されて展開されシャッターが閉鎖される。
【００３５】
上記実施例によれば、グリルスクリーン１７を巻胴１４に巻き取って巻胴トルクＤＴが減少するに従って、折り曲げ自在な複数の錘部材２７Ａ〜２７Ｃを下端側から順にウェイト収容ピット２５の底部に着地させてバランストルクＢＴを減少させ、きわめて簡単な構造で巻胴トルクＤＴにほぼ均衡されるバランストルクＢＴを得ることができ、これによりわずかな駆動力でグリルスクリーン１７を開閉することができる。したがって、十分な強度と重量とを有する金属製のグリルスクリーン１７であっても、手動による開閉操作はもちろん、小型の電動モータや油圧モータ、水道水圧により駆動されるシリンダ装置などのように、駆動力の小さい駆動装置でも、シャッターの開閉をスムーズに行うことができ、省エネ効果を発揮することができる。
【００３６】
さらに、バランスウェイト２４は、短冊形の錘部材２７Ａ〜２７Ｃをヒンジ２６を介して長尺状で折り曲げ自在に連結することにより、安価に製造できるとともに、錘部材２７Ａ〜２７Ｃの重量調整も容易に行うことができ、さらに折り畳むことでウェイト収容ピット２５内に収容することができ、ウェイト収容ピット２５をコンパクトに形成することができる。
【００３７】
さらに、水道水圧により駆動される水道圧シリンダ３２Ｒ，３２Ｌを使用したシャッター開閉装置３１であっても、大重量のグリルスクリーン１７を巻上げ、繰出ししてスムーズに開閉することができる。さらにまた、停電時などでも水道圧シリンダ３２Ｒ，３２Ｌによりシャッターの開閉を行うことができる。
【００３８】
［シャッター開閉装置の第２例］
上記第１例では、巻胴１４の両側に、それぞれ巻掛け伝動機構を介して水道水圧により駆動される水道圧シリンダ３２Ｒ，３２Ｌを設けたが、図６に示すように、第２例のシャッター開閉装置（自動開閉装置）４０は、巻胴１４の支軸１５の少なくとも一側部に、ラック・ピニオン式ギヤ機構４１を介して巻胴１４を回転駆動する複動形の水道圧シリンダ４２を設けたものである。水道水圧源からの水道圧を開閉用切換弁４３を介して水道圧シリンダ４２に供給、排出し、水道圧シリンダ４２のピストンロッドに連結されたラック４１ａを直線移動させピニオン４１ｂを介して巻胴１４を回転し、巻胴１４にシャッター開閉時の起動力と、巻胴トルクＤＴとバランストルクＢＴのトルク差δを越える駆動トルクを付与するものである。巻胴１４の支軸１５の両側部に、それぞれラック・ピニオン式ギヤ機構４１を介して複動形の水道圧シリンダ４２を設けることもできる。
【００３９】
上記シャッター開閉装置４０によれば、複動形の水道圧シリンダ４２の採用により、１本の水道圧シリンダですみ、コンパクトに構成することができるほか、第１例と同様の作用効果を奏することができる。
【００４０】
［シャッター開閉装置の第３例］
図７に示すように、第３例のシャッター開閉装置（自動開閉装置）５０は、巻胴１４の支軸１５の少なくとも一側部に、回転軸心を９０度切換える一組のベベルギヤ５１と、直線運動を回転運動に切換える円筒カム機構５２により、巻胴１４を回転駆動する複動形の水道圧シリンダ５３を設けたものである。水道水圧源からの水道圧を開閉用切換弁５４を介して水道圧シリンダ５３に供給、排出し、水道圧シリンダ５３のピニオンに設けられたカムフォロワ５２ａを移動させることにより、カム溝５２ｂを介して円筒カム体５２ｃを回転させ、ベベルギヤ５１を介して巻胴１４にシャッター開閉時の起動力と、巻胴トルクＤＴとバランストルクＢＴのトルク差を越える駆動トルクを付与する。
【００４１】
上記シャッター開閉装置５０によれば、第１例および第２例と同様の作用効果を奏することができる。
［シャッター開閉装置の第４例］
図８に示すように、第４例のシャッター開閉装置（自動開閉装置）８０は、駆動源に電動モータを使用したものである。すなわち、天井部ケース１３内に、減速装置およびブレーキ装置付の開閉モータ８１を巻胴１４に並設配置し、その出力軸８２と支軸１５とをチェーンとスプロケットからなる巻掛け伝動機構８３により連動連結したものである。
【００４２】
上記構成によれば、小型の開閉モータ８１により、重量のあるグリルスクリーン１７を容易に開閉駆動することができる。
［シャッター開閉操作具］
自動開閉装置であるシャッター開閉装置に替えて、手動操作するためのシャッター開閉操作具を設けたものである。
【００４３】
すなわち、図９（ａ）に示すように、第１例のシャッター開閉操作具６０は、巻胴１４の一側部の支軸１５と平行な駆動軸６１を、サイドケース１２Ｒまたは１２Ｌに回転自在に支持させ、支軸１５と駆動軸６１とをスプロケットとチェーンからなる巻掛け伝動機構６３を介して連動連結し、サイドケース１２Ｒまたは１２Ｌから突出する駆動軸６１の先端部に開閉ハンドル６２を取り付けて構成されている。したがって、開閉ハンドル６２により駆動軸６１を回転駆動し、巻掛け伝動機構６３を介して巻胴１４を回転駆動し、バランス装置２１の作用により小さい駆動力でグリルスクリーン１７をスムーズに巻取り、繰出しして開閉することができる。
【００４４】
また図８（ｂ）に示すように、第２例のシャッター開閉操作具７０は、支軸１５に直接、またはスプロケットとチェーンからなる巻掛け伝動機構７４を介して連結された中間軸７１に、開閉用シーブ７２を固定し、この開閉用シーブ７２に巻掛けられた操作ロープ７３を、天井部ケース１３の開口部から下方に下ろしたものである。この操作ロープ７３を正逆方向に引き出すことにより、開閉用シーブ７２を介して巻胴１４を回転駆動し、バランス装置２１の作用により小さい駆動力でグリルスクリーン１７をスムーズに巻取り、繰出しして開閉することができる。
【符号の説明】
【００４５】
ＤＴ    巻胴トルク
ＢＴ    バランストルク
１１    シャッターフレーム
１４    巻胴
１５    支軸
１７    グリルスクリーン（シャッター部材）
２１    バランス装置
２２    バランスドラム
２３    バランスワイヤ（索体）
２４    バランスウェイト
２５    ウェイト収容ピット（ウェイト受け部）
２６    ヒンジ
２７Ａ〜２７Ｃ  錘部材
２８Ａ〜２８Ｃ  ガイド部材
３１    シャッター開閉装置（自動開閉装置）
３２Ｒ，３２Ｌ  水道圧シリンダ
３３Ｒ，３３Ｌ  駆動ドラム
３４Ｒ  繰出しワイヤ
３４Ｌ  巻取りワイヤ
３７Ｒ，３７Ｌ  開閉用切換弁
３９    貯水槽
４０    シャッター開閉装置
４１    ラック・ピニオン式ギヤ機構
４２    水道圧シリンダ
４３    開閉用切換弁
５０    シャッター開閉装置
５１    ベベルギヤ
５２    円筒カム機構
５３    水道圧シリンダ
５４    開閉用切換弁
６０    シャッター開閉操作具
７０    シャッター開閉操作具
８０    シャッター開閉装置
【図１】
2011001758.tif 000003
【図２】
2011001758.tif 000004
【図３】
2011001758.tif 000005
【図４】
2011001758.tif 000006
【図５】
2011001758.tif 000007
【図６】
2011001758.tif 000008
【図７】
2011001758.tif 000009
【図８】
2011001758.tif 000010
【図９】
2011001758.tif 000011